【手続補正書】
【提出日】平成19年4月4日(2007.4.4)
【手続補正１】
【補正対象書類名】明細書
【補正対象項目名】特許請求の範囲
【補正方法】変更
【補正の内容】
【特許請求の範囲】
【請求項１】  所定の主領域に画像を表示し、所定の副領域に履歴情報を表示し、
前記主領域に表示されている画像に複数の画像処理を実行し、
複数の前記画像処理の少なくとも１つが実行された後の画像を、前記主領域に表示し、前記画像処理が実行される前の画像及び前記画像処理が実行される前の該画像に関連する情報の少なくとも一方を履歴情報として副領域に複数の前記画像処理が実行された順番で表示し、
前記副領域の画像が選択された場合、該画像に関連する情報を該画像に代えて表示し、
該画像に関連する情報が選択された場合、該画像を表示する、
ことを特徴とする履歴情報表示方法。
【請求項２】  前記画像処理は画像の明度及び彩度を強調する自動画像処理を含む、ことを特徴とする請求項１に記載の履歴情報表示方法。
【請求項３】  前記画像処理は、画像の解像度、フォーカス、明るさ、鮮やかさの補正、切り抜きを行うための手動画像処理を含む、ことを特徴とする請求項１に記載の履歴情報表示方法。
【請求項４】  画像処理が実行される前の前記画像は、画像処理が実行された後、前記副領域に自動的に表示される、ことを特徴とする請求項１に記載の履歴情報表示方法。
【請求項５】  前記副領域に表示されている画像は前記画像処理が実行される前の画像であり、
前記副領域に表示されている画像は主領域に表示されており、
前記副領域に表示されている画像は縮小画像である、
ことを特徴とする請求項１に記載の履歴情報表示方法。
【請求項６】  前記副領域に表示される画像に関連する情報は、前記画像処理に対応する文字、該画像処理に対応する単語、及び、画像に所定の処理を行うことにより取得される画像、の少なくとも１つを含む、ことを特徴とする請求項１に記載の履歴情報表示方法。
【請求項７】  前記履歴情報が選択された場合、該履歴情報に所定の処理が実行される、ことを特徴とする請求項１に記載の履歴情報表示方法。
【請求項８】  前記所定の処理は、前記主領域に、選択された前記履歴情報に対応する画像を表示する処理である、ことを特徴とする請求項７に記載の履歴情報表示方法。
【請求項９】  前記主領域と副領域とが、それぞれ別ウィンドウ形態で表示され、
それぞれ独立して同一画面の内を移動可能である、
ことを特徴とする請求項１乃至請求項８の何れか１項に記載の履歴情報表示方法。
【請求項１０】  前記画像処理が実行される前の画像を前記副領域から選択する、ことを特徴とする請求項１に記載の履歴情報表示方法。
【請求項１１】  前記副領域における前記履歴情報の表示可能最大数を超えた場合であって、該副領域にさらなる履歴情報が表示される場合に、保存指定された履歴情報を除く、最も古い履歴情報から消去していく、ことを特徴とする請求項１乃至請求項１０の何れか１項に記載の履歴情報表示方法。
【請求項１２】  前記履歴情報の中の保存指定された前記履歴情報が、処理の最初の対象であった画像に対応する履歴情報である、ことを特徴とする請求項１１に記載の履歴情報表示方法。
【請求項１３】  画像処理前の画像が副領域から選択された場合、該副領域に配置されている画像にされた画像処理が取り消される、ことを特徴とする請求項１０に記載の履歴情報表示方法。
【請求項１４】  所定の主領域に画像を表示し、
所定の副領域に履歴情報を表示し、
前記主領域に表示されている画像に複数の画像処理を実行し、
前記複数の画像処理の少なくとも１つが実行された画像を前記主領域に表示し、
画像処理が実行される前の画像及び画像処理が実行される前の画像に関連する情報の少なくとも一方を、前記複数の画像処理が実行される順に、履歴情報として、前記副領域に表示する、
履歴情報表示方法であって、
前記副領域に表示される画像に関連する情報は、画像処理に対応する文字、画像処理に対応する単語、所定の処理を画像に施すことにより取得される画像、の少なくとも１つを含み、
前記副領域の画像が選択された場合、画像に関連する情報は該副領域の画像に部分的に重畳し、
前記副領域の画像もしくは履歴情報がユーザによって選択された場合、前記情報は閉じられる、
ことを特徴とする履歴情報表示方法。
【請求項１５】  所定の主領域に画像を表示し、
所定の副領域に履歴情報を表示し、
前記主領域に表示されている画像に複数の画像処理を実行し、
前記複数の画像処理の少なくとも１つが実行された画像を前記主領域に表示し、
画像処理が実行される前の画像及び画像処理が実行される前の画像に関連する情報の少なくとも一方を、前記副領域に、前記複数の画像処理が実行された順に、履歴情報として表示する、
履歴情報表示方法であって、
前記副領域に表示される画像に関連する情報は、画像処理に対応する文字、画像処理に対応する単語、所定の処理を画像に施すことによって取得される画像、の少なくとも１つを含み、
画像に対する変更についての情報が、変更された画像の領域において、前記副領域に重畳される、
ことを特徴とする履歴情報表示方法。
【手続補正２】
【補正対象書類名】明細書
【補正対象項目名】０００８
【補正方法】変更
【補正の内容】
【０００８】
【課題を解決するための手段】
請求項１記載の発明は、所定の主領域に画像を表示し、所定の副領域に履歴情報を表示し、前記主領域に表示されている画像に複数の画像処理を実行し、複数の前記画像処理の少なくとも１つが実行された後の画像を、前記主領域に表示し、前記画像処理が実行される前の画像及び前記画像処理が実行される前の該画像に関連する情報の少なくとも一方を履歴情報として副領域に複数の前記画像処理が実行された順番で表示し、前記副領域の画像が選択された場合、該画像に関連する情報を該画像に代えて表示し、該画像に関連する情報が選択された場合、該画像を表示する、ことを特徴としている。
【手続補正３】
【補正対象書類名】明細書
【補正対象項目名】０００９
【補正方法】変更
【補正の内容】
【０００９】
請求項１に記載の発明によれば、画像処理するための画面上に、画像処理対象画像を表示する主領域の他に、副領域を設け、現在までに画像処理を施した履歴画像を時系列、例えば、画面に向かって左から古い順に配列して表示することにより、オペレータは現在までの画像処理の状態を目視によって簡単に把握することができる。
【手続補正４】
【補正対象書類名】明細書
【補正対象項目名】００１０
【補正方法】変更
【補正の内容】
【００１０】
請求項２に記載の発明は、前記請求項１に記載の発明において、前記画像処理が画像の明度及び彩度を強調する自動画像処理を含むことを特徴としている。
【手続補正５】
【補正対象書類名】明細書
【補正対象項目名】００１１
【補正方法】変更
【補正の内容】
【００１１】
請求項３に記載の発明は、前記請求項１に記載の発明において、前記画像処理が、画像の解像度、フォーカス、明るさ、鮮やかさの補正、切り抜きを行うための手動画像処理を含むことを特徴としている。
【手続補正６】
【補正対象書類名】明細書
【補正対象項目名】００１２
【補正方法】変更
【補正の内容】
【００１２】
請求項４に記載の発明は、前記請求項１に記載の発明において、画像処理が実行される前の前記画像が、画像処理が実行された後、前記副領域に自動的に表示されることを特徴としている。
【手続補正７】
【補正対象書類名】明細書
【補正対象項目名】００１３
【補正方法】変更
【補正の内容】
【００１３】
請求項５に記載の発明は、前記請求項１に記載の発明において、前記副領域に表示されている画像は前記画像処理が実行される前の画像であり、前記副領域に表示されている画像は主領域に表示されており、前記副領域に表示されている画像は縮小画像である、ことを特徴としている。
請求項５に記載の発明によれば、前記副領域に表示されている画像は主領域に表示されており、前記副領域に表示されている画像は縮小画像であることにより、視覚による判別がさらに容易になる。
【手続補正８】
【補正対象書類名】明細書
【補正対象項目名】００１４
【補正方法】変更
【補正の内容】
【００１４】
請求項６に記載の発明は、前記請求項１に記載の発明において、前記副領域に表示される画像に関連する情報は、前記画像処理に対応する文字、該画像処理に対応する単語、及び、画像に所定の処理を行うことにより取得される画像、の少なくとも１つを含むことを特徴としている。
請求項６に記載の発明によれば、前記副領域に表示される画像に関連する情報は、前記画像処理に対応する文字、該画像処理に対応する単語、及び、画像に所定の処理を行うことにより取得される画像、の少なくとも１つを含むことができる。例えば、画像処理がなされたとしても、ほとんどその差異が見うけられない画像の縮小画像を見ても判別は難しい。また、デフォルト値の設定変更等、画像に表れない処理を行う場合もあり、このような場合、処理前と処理後とで画像としては全く変化がなく、縮小画像を並べて表示しても見分けがつかない。そこで、文字により変更箇所又は変更内容を示したり、変更箇所を例えばデフォルメ（変更部を強調する）したようなグラフィックな画像を構成することで、明確に違いを表現することができる。
【手続補正９】
【補正対象書類名】明細書
【補正対象項目名】００１５
【補正方法】変更
【補正の内容】
【００１５】
請求項７に記載の発明は、前記請求項１に記載の発明において、前記履歴情報が選択された場合、該履歴情報に所定の処理が実行される、ことを特徴とする。
【手続補正１０】
【補正対象書類名】明細書
【補正対象項目名】００１６
【補正方法】変更
【補正の内容】
【００１６】
請求項８に記載の発明は、前記請求項７に記載の発明において、前記所定の処理は、前記主領域に、選択された前記履歴情報に対応する画像を表示する処理である、ことを特徴とする。
【手続補正１１】
【補正対象書類名】明細書
【補正対象項目名】００１７
【補正方法】変更
【補正の内容】
【００１７】
請求項９に記載の発明は、前記請求項１乃至請求項８の何れか１項に記載の発明において、前記主領域と副領域とが、それぞれ別ウィンドウ形態で表示され、それぞれ独立して同一画面の内を移動可能である、ことを特徴とする。
【手続補正１２】
【補正対象書類名】明細書
【補正対象項目名】００１８
【補正方法】変更
【補正の内容】
【００１８】
請求項９に記載の発明によれば、基本形として主領域と副領域が併設表示されている。ここで、それぞれの領域を別ウィンドウで構成しておけば、この併設状態、すなわち相対位置関係を自由に変更することができる。
【手続補正１３】
【補正対象書類名】明細書
【補正対象項目名】００１９
【補正方法】変更
【補正の内容】
【００１９】
例えば、画面の上下に互いに接触した状態で表示させたり、互いにそれぞれ画像表示枠を持ち、この枠同士を離間させたり、何れか一方を前面として枠の一部を重ねたりすることも可能となる。
【手続補正１４】
【補正対象書類名】明細書
【補正対象項目名】００２０
【補正方法】変更
【補正の内容】
【００２０】
請求項１０に記載の発明は、前記請求項１に記載の発明において、前記画像処理が実行される前の画像を前記副領域から選択する、ことを特徴とする。
【手続補正１５】
【補正対象書類名】明細書
【補正対象項目名】００２１
【補正方法】変更
【補正の内容】
【００２１】
請求項１１に記載の発明は、前記請求項１乃至請求項１０の何れか１項に記載の発明において、前記副領域における前記履歴情報の表示可能最大数を超えた場合であって、該副領域にさらなる履歴情報が表示される場合に、保存指定された履歴情報を除く、最も古い履歴情報から消去していく、ことを特徴とする。
【手続補正１６】
【補正対象書類名】明細書
【補正対象項目名】００２２
【補正方法】変更
【補正の内容】
【００２２】
請求項１１に記載の発明によれば、記憶容量が多ければ履歴表示数を限定する必要はないが、副表示領域に表示可能な数には制限がある。そこで、表示可能最大数を超えた場合に、保存指定された履歴画像を除く、最も古い画像から消去していき、新たな履歴画像を追加するようにしている。なお、表示可能最大数＝副表示領域に表示可能な数としたが、スクロール方式を採用すれば、表示可能最大数＞副表示領域に表示可能な数としてもよい。
【手続補正１７】
【補正対象書類名】明細書
【補正対象項目名】００２３
【補正方法】変更
【補正の内容】
【００２３】
請求項１２に記載の発明は、前記請求項１１に記載の発明において、前記履歴情報の中の保存指定された前記履歴情報が、処理の最初の対象であった画像に対応する履歴情報である、ことを特徴とする。
【手続補正１８】
【補正対象書類名】明細書
【補正対象項目名】００２４
【補正方法】変更
【補正の内容】
【００２４】
請求項１２に記載の発明によれば、保存指定する画像としてオリジナル画像を選択している。これにより、新たに最初から画像処理をやり直す場合等、再度ファイルから取り込んだり、ＴＷＡＩＮ機器に付属のソフトを立ち上げて取り込んだりする必要がなくなり、作業効率が向上する。
【手続補正１９】
【補正対象書類名】明細書
【補正対象項目名】００２５
【補正方法】変更
【補正の内容】
【００２５】
請求項１３に記載の発明は、前記請求項１０に記載の発明において、画像処理前の画像が副領域から選択された場合、該副領域に配置されている画像にされた画像処理が取り消される、ことを特徴とする。
【手続補正２０】
【補正対象書類名】明細書
【補正対象項目名】００２６
【補正方法】変更
【補正の内容】
【００２６】
請求項１４に記載の発明は、所定の主領域に画像を表示し、所定の副領域に履歴情報を表示し、前記主領域に表示されている画像に複数の画像処理を実行し、前記複数の画像処理の少なくとも１つが実行された画像を前記主領域に表示し、画像処理が実行される前の画像及び画像処理が実行される前の画像に関連する情報の少なくとも一方を、前記複数の画像処理が実行される順に、履歴情報として、前記副領域に表示する、履歴情報表示方法であって、前記副領域に表示される画像に関連する情報は、画像処理に対応する文字、画像処理に対応する単語、所定の処理を画像に施すことにより取得される画像、の少なくとも１つを含み、前記副領域の画像が選択された場合、画像に関連する情報は該副領域の画像に部分的に重畳し、前記副領域の画像もしくは履歴情報がユーザによって選択された場合、前記情報は閉じられる、ことを特徴とする。
【手続補正２１】
【補正対象書類名】明細書
【補正対象項目名】００２７
【補正方法】変更
【補正の内容】
【００２７】
請求項１５に記載の発明は、所定の主領域に画像を表示し、所定の副領域に履歴情報を表示し、前記主領域に表示されている画像に複数の画像処理を実行し、前記複数の画像処理の少なくとも１つが実行された画像を前記主領域に表示し、画像処理が実行される前の画像及び画像処理が実行される前の画像に関連する情報の少なくとも一方を、前記副領域に、前記複数の画像処理が実行された順に、履歴情報として表示する、履歴情報表示方法であって、前記副領域に表示される画像に関連する情報は、画像処理に対応する文字、画像処理に対応する単語、所定の処理を画像に施すことによって取得される画像、の少なくとも１つを含み、画像に対する変更についての情報が、変更された画像の領域において、前記副領域に重畳される、ことを特徴とする。
【手続補正２２】
【補正対象書類名】明細書
【補正対象項目名】００２８
【補正方法】削除
【補正の内容】